(57)【要約】      （修正有）【課題】テーパ状の容器を吊り下げる吊り下げ具において、低コストで、使いやすい吊り下げ具を提供する。【解決手段】テーパ状の周面を有し内容物が収容された容器が上から挿入されると密着してコップを保持する円筒状の保持部１１と、保持部１１の上側の縁で一端と一端から最も離れた他端まで橋渡しするように直交する帯状の把持部１２と、を備える。【選択図】図１
0003180102.tif 000002
【実用新案登録請求の範囲】
【請求項１】
テーパ状の周面を有し内容物が収容された容器が上から挿入されると密着して前記容器を保持する円筒状の保持部と、
前記保持部の上側の縁で一端と前記一端から最も離れた他端まで橋渡しするように直交する帯状の把持部と、を備えたことを特徴とする吊り下げ具。
【請求項２】
前記把持部と前記保持部との接続部にはＲ部が形成されていることを特徴とする請求項１記載の吊り下げ具。
【請求項３】
材質が、柔軟性を有するフィルムからなることを特徴とする請求項１または２記載の吊り下げ具。
【請求項４】
前記フィルムが、樹脂、ゴム、紙、革、布、もしくは不織布からなることを特徴とする請求項４記載の吊り下げ具。
【考案の詳細な説明】
【技術分野】
【０００１】
本考案は、テーパ状の容器を吊り下げる吊り下げ具に関する。
【背景技術】
【０００２】
従来から、紙コップやプラスチックコップを吊り下げる吊り下げ具が知られている（例えば、特許文献１、２参照。）。
【０００３】
特許文献１に記載の発明は、「容器運搬具」に関するものであり、具体的には「円筒状容器がその底部側から容器装着部に挿入されて支持されるリング状やグリッド状、円筒状、円錐台状、平板状、トレイ状などに形成された容器支持部と、容器支持部上の点対称の位置に形成された複数の吊下げ紐係止部と、を有する」ものである。
【０００４】
特許文献２に記載の発明は、「容器の吊り下げ具」に関するものであり、具体的には「１枚のシートで一体に形成され、手又は腕等を通すための一対の通し孔がシートの長さ方向に間隔をあけて設けられており、且つその２つの通し孔の間の中央部分に紙コップ等の容器を挿入して吊り下げるための挿入孔が設けられている」ものである。
【先行技術文献】
【特許文献】
【０００５】
【特許文献１】特開２００７−７６７４０号公報
【特許文献２】特開２００５−８２２２８号公報
【考案の概要】
【考案が解決しようとする課題】
【０００６】
しかしながら、特許文献１に記載の発明は、リングの吊り下げ紐係止部に吊り下げ紐を通さなければならず、面倒であり、容器支持部にはビニルやポリエチレンよりも硬質で高強度の材料が要求されるので、組み立てコストや材料コストがかかる。
【０００７】
また、特許文献２に記載の発明は、特許文献１に記載の発明は、コストはかからないものの、手を通す際に吊り下げ具の上端を一方の手で押さえながら他方の手を通さなければならず、テーブルの上等に置いた後、再度吊り下げる際には吊り下げ具が広がるので不便である。
【０００８】
そこで、本考案の目的は、低コストで、使いやすい吊り下げ具の提供を目的とする。
【課題を解決するための手段】
【０００９】
かかる目的を達成するために、本考案に係る吊り下げ具は、テーパ状の周面を有し内容物が収容された容器が上から挿入されると密着して前記容器を保持する円筒状の保持部と、前記保持部の上側の縁で一端と前記一端から最も離れた他端まで橋渡しするように直交する帯状の把持部と、を備えたことを特徴とする。
【考案の効果】
【００１０】
本考案によれば、低コストで、使いやすい吊り下げ具の提供の実現が可能となる。
【図面の簡単な説明】
【００１１】
【図１】本実施形態に係る吊り下げ具の使用状態における外観斜視図である。
【図２】図１に示した吊り下げ具１０の外観斜視図である。
【図３】図１に示した吊り下げ具１０の平面図である。
【図４】（ａ）、（ｂ）、（ｃ）は、図１に示した吊り下げ具１０の製造工程の一例を示す工程図である。
【図５】図２に示した吊り下げ具１０の変形例である。
【図６】図１に示した吊り下げ具１０をテーブル４０に置いた状態を示す図である。
【考案を実施するための形態】
【００１２】
図１は、本実施形態に係る吊り下げ具の使用状態における外観斜視図である。
同図に示す吊り下げ具１０は、テーパ状の周面を有する容器の一例としてのコップ２０が上から挿入されると密着してコップ２０を保持する円筒状の保持部１１と、保持部１１の上側の縁で一端と一端から最も離れた他端まで橋渡しするように直交する帯状の把持部１２と、を備えている。
【００１３】
図２は、図１に示した吊り下げ具１０の外観斜視図である。
同図に示すように円筒部１１と把持部１２とが同一の材質からなり、かつ一体化されている。把持部１２の上端１２aは、接着剤で接着されても、高周波ミシンにより溶着されていてもよい。吊り下げ具１０の材質としては、柔軟性を有するフィルムからなっている。フィルムとしては、例えば、ポリ塩化ビニルが挙げられるが、本考案はこれに限定されるものではなく、樹脂、ゴム、紙、革、布、もしくは不織布が挙げられる。
樹脂としては、例えば、ポリエチレン、ポリプロピレン、ポリエステル、ウレタン、シリコーンが挙げられる。布としては、例えばナイロン、ポリウレタン等の合成繊維、レーヨン、アセテート等の再生、木綿、麻、絹等の天然繊維が挙げられる。ゴムとしては、例えばクロロプレンゴム（ウェットスーツ素材）、アクリルゴム、ニトリルゴム等の合成ゴム、天然ゴムが挙げられる。革は、本革もしくは合成革が挙げられる。フィルムとしては、このほかアルミ蒸着フィルムが挙げられる。
【００１４】
図３は、図１に示した吊り下げ具１０の平面図である。
図３に示す吊り下げ具１０の保持部１１と把持部１２との接続部にはＲ部が形成されている。吊り下げ具１０は、このＲ部を有することで、飲料が入ったコップ２０による応力を分散することができる。
Ｒ部の長さは、応力を分散できる程度適宜設定されるが、以下の数式（１）を満足するように設定される。
Ｈ２＜Ｒ＜Ｈ１                        ・・・（１）
保持部１１の幅Ｗは、テーパ状のコップ本体２２の最大外径をＤとし、最小外径をｄとしたとき、以下の数式（２）を満足するように設定される。
πｄ／２＜Ｗ＜πＤ／２                      ・・・（２）
保持部１１の高さＨ１は、コップ本体２２の高さをｈとしたとき、以下の数式（３）を満足するように設定される。
Ｈ１＜ｈ                                    ・・・（３）
吊り下げ具１０の高さＨは、以下の数式（４）を満足するように設定される。
ｈ＋Ｈ１＋Ｈ２＜Ｈ                          ・・・（４）
把持部１２の幅Ｗ１は、以下の数式（５）を満足するように設定される。
Ｗ１＜Ｄ                                  ・・・（５）
把持部１２の長さＨ３は、以下の数式（６）を満足するように設定される。
ｈ＜Ｈ３                                  ・・・（６）
尚、Ｗ２はＷ−Ｗ１を２で割った値であることは言うまでもない。
【００１５】
ここで、吊り下げ具１０の吊り下げ対象であるコップ２０としては、テーパ状のコップ本体２２と、ストロー２３を挿入可能な貫通孔を有する蓋２１とで構成してもよく、蓋２１がなくコップ本体２２で構成してもよい。コップ本体２２の材質は、例えば紙もしくはプラスチックが挙げられるが硝子であってもよい。
【００１６】
図４（ａ）、（ｂ）、（ｃ）は、図１に示した吊り下げ具１０の製造工程の一例を示す工程図である。
まず、袋３０を準備する（図４（ａ））。
次に、袋３０の両側の一部を図示しない打ち抜き刃で破線Ｌ１、Ｌ２に沿って切断する（図４（ｂ））。
袋３０の両側の一部を切断することにより、吊り下げ具１０が得られる（図４（ｃ））。
尚、本実施形態はこの工程に限定されるものではない。
【００１７】
図５は、図２に示した吊り下げ具１０の変形例である。
図５に示した吊り下げ具１００の図２に示した吊り下げ具１０との相違点は、把持部１２０と保持部１１との接続部にＲ部が形成されていない点である。
Ｒ部が形成されていないことにより、製造工程で打ち抜き刃が直線のみで形成できるので、Ｒ部を有する打ち抜き刃を用いた場合に比べてコストの低い直線のみの打ち抜き刃を用いることにより、製造コストを下げることができる。
【００１８】
図６は、図１に示した吊り下げ具１０をテーブル４０に置いた状態を示す図である。
吊り下げ具１０は、把持部１０の上端１２ａが閉じられているので、例えば、吊り下げ具１０で飲料の入ったコップ２０を吊り下げている時に、不意に携帯電話が鳴った場合でもそのままテーブル４０の上に置き、通話が終了した後、そのまま吊り下げ具１０の把持部１１の中に指を入れて持ち上げることができる。また、吊り下げ具１０の把持部１１を腕に吊り下げることもできる。さらに、コップ２０を吊り下げ具１０ごとテーブル４０の上に置いても特許文献２に記載の発明のように上側が広がることがない。また、特許文献１に記載の発明に比べて簡単な構成のため低コスト化を図ることができる。
【００１９】
なお、上記実施形態は、本考案の具体例であり、技術的に好ましい種々の限定を付している場合もあるが、本考案の技術範囲は、特に本考案を限定する記載がない限り、これらの態様に限定されるものではない。また、上記実施形態における構成要素は、適宜、既存の構成要素等との置き換えが可能であり、かつ、他の既存の構成要素との組合せを含む様々なバリエーションが可能である。したがって、上記実施形態の記載をもって、実用新案登録請求の範囲に記載された考案の内容を限定するものではない。
例えば、上記実施形態では、吊り下げ具により吊り下げられる、内容物が収容された容器が紙コップの場合で説明したが、本考案はこれに限定されるものではなく、例えば、植木鉢、アイスクリームコーン、テーパ状のボール等の側面がテーパ状の周面であれば限定されるものではない。
【符号の説明】
【００２０】
１０、１００    吊り下げ具
１１    保持部
１２、１２０    把持部
１２ａ    上端部
２０    コップ
２１    蓋
２２    コップ本体
２３    ストロー
３０    袋
４０    テーブル
【図１】
0003180102.tif 000003
【図２】
0003180102.tif 000004
【図３】
0003180102.tif 000005
【図４】
0003180102.tif 000006
【図５】
0003180102.tif 000007
【図６】
0003180102.tif 000008
【手続補正書】
【提出日】平成24年9月27日(2012.9.27)
【手続補正１】
【補正対象書類名】実用新案登録請求の範囲
【補正対象項目名】全文
【補正方法】変更
【補正の内容】
【実用新案登録請求の範囲】
【請求項１】
テーパ状の周面を有し内容物が収容された容器が上から挿入されると密着して前記容器を保持する円筒状の保持部と、
前記保持部の上側の縁で一端と前記一端から最も離れた他端まで橋渡しするように直交する帯状の把持部と、を備えたことを特徴とする吊り下げ具。
【請求項２】
前記把持部と前記保持部との接続部にはＲ部が形成されていることを特徴とする請求項１記載の吊り下げ具。
【請求項３】
材質が、柔軟性を有するフィルムからなることを特徴とする請求項１または２記載の吊り下げ具。
【請求項４】
前記フィルムが、樹脂、ゴム、紙、革、布、もしくは不織布からなることを特徴とする請求項３記載の吊り下げ具。